(57)【要約】【課題】チップコンデンサのずれや脱落を防止し、ハンダフィレットの良・不良を容易に判別できる構造を有する電子部品を提供する。【解決手段】一対の第１押さえ片３Ａ３の幅Ｗ１及び一対の第２押さえ片６Ｆの幅Ｗ３は、コンデンサ２の幅Ｗ２よりも狭く構成される。更に、一対の第１押さえ片３Ａ３及び一対の第２押さえ片６Ｆは、それぞれコンデンサ２の幅Ｗ２の略中央の位置に配置される。そして、端子６の各端子片部６Ｂ１、６Ｃ１及び金属カバー１０の各カバー片部１０Ｂ１、１０Ｃ１は、スペースを一対の外部電極２Ａ、２Ｂの対向する方向と一対の貫通穴の対向する方向とに直交する方向から見たときに、コンデンサ２に重ならないように構成される。【選択図】図３
2005294645.tif 000002
【特許請求の範囲】
【請求項１】
一対の外部電極を有するチップ部品と、
少なくとも一方向に開口するスペースを提供し、該スペースに該チップ部品を収容し、貫通部を有するコアと、
該貫通部に貫通し、該チップ部品の一方の外部電極と接合する第１接合部を有する金属フレーム端子とを備える電子部品であって、
該第１接合部は、該チップ部品に対向する第１押さえ片を有し、該第１押さえ片の幅は、該第１押さえ片に対向する該チップ部品の幅よりも狭く構成されることを特徴とする電子部品。
【請求項２】
該チップ部品の他方の外部電極と接合する第２接合部と、該コアを保持する端子片部とを有する端子を更に備え、
該第２接合部は、該チップ部品に対向する第２押さえ片を有し、該第２押さえ片の幅は、該第２押さえ片に対向する該チップ部品の幅よりも狭く構成され、
該端子片部は、該チップ部品と該第２押さえ片とが対向する方向から見たときに、該チップ部品に重ならないように構成されていることを特徴とする請求項１に記載の電子部品。
【請求項３】
該端子に対向する位置において、該コアを保持するカバー片部を有するカバーを更に備え、
該カバー片部は、該チップ部品と該第１押さえ片とが対向する方向から見たときに、該チップ部品に重ならないように構成されていることを特徴とする請求項１又は２いずれか一項に記載の電子部品。
【請求項４】
該第１押さえ片及び該第２押さえ片は、該第１押さえ片及び該第２押さえ片に対向する該チップ部品の幅の略中央に配置されることを特徴とする請求項２に記載の電子部品。
【請求項５】
該コアは、第１コアと、第２コアとに分割して構成され、該第１コア及び該第２コアには、それぞれ貫通部が形成されていることを特徴とする請求項１に記載の電子部品。
【請求項６】
該スペースは、該一方向と、該一方向と反対の方向とに開口していることを特徴とする請求項５に記載の電子部品。
【発明の詳細な説明】
【技術分野】
【０００１】
本発明は、チップ部品と端子とをハンダ付けにより接合する接合部を有する電子部品に関する。
【背景技術】
【０００２】
従来から、チップ部品と端子とをハンダ付けにより接合する接合部を有する電子部品の様々な形状が提案されている。例えば、一対の腕部と一対の貫通穴を有する基部とからなるＵ字状のコアの一対の腕部間にチップコンデンサを配置し、金属フレーム端子にチップコンデンサの一方の電極をハンダ付けし、別の端子にチップコンデンサの他方の電極をハンダ付けし、金属フレーム端子の一対の脚部を各貫通穴に貫通させて表面実装可能な電子部品を提案している（例えば、特許文献１参照）。
【０００３】
【特許文献１】実開平１−８６７１５号公報
【発明の開示】
【発明が解決しようとする課題】
【０００４】
しかし、従来の電子部品では、ハンダ付けのための恒温槽内におけるリフロー時において、電子部品の搬送中にコンベアの振動によりチップコンデンサのずれや脱落を生じる可能性があった。また、ハンダ付けによるハンダフィレットの状態の良・不良は、目視又はレーザー光を用いた方法により判別されていたが、目視によるハンダフィレットの良・不良の判別は、誤判別を生じやすく、かつ電子部品の生産性が低かった。更に、レーザー光を用いた方法によるハンダフィレットの良・不良の判別は、その方法に用いる装置が高額であるため生産コストが高かった。
【０００５】
そこで本発明は、チップコンデンサのずれや脱落を防止し、ハンダフィレットの良・不良を容易に判別できる構造を有する電子部品を提供することを目的とする。
【課題を解決するための手段】
【０００６】
上記目的を達成するために、本発明は、一対の外部電極を有するチップ部品と、少なくとも一方向に開口するスペースを提供し、該スペースに該チップ部品を収容し、貫通部を有するコアと、該貫通部に貫通し、該チップ部品の一方の外部電極と接合する第１接合部を有する金属フレーム端子とを備える電子部品であって、該第１接合部は、該チップ部品に対向する第１押さえ片を有し、該第１押さえ片の幅は、該第１押さえ片に対向する該チップ部品の幅よりも狭く構成されることを特徴とする電子部品を提供している。
【０００７】
ここで、該チップ部品の他方の外部電極と接合する第２接合部と、該コアを保持する端子片部とを有する端子を更に備え、該第２接合部は、該チップ部品に対向する第２押さえ片を有し、該第２押さえ片の幅は、該第２押さえ片に対向する該チップ部品の幅よりも狭く構成され、該端子片部は、該チップ部品と該第２押さえ片とが対向する方向から見たときに、該チップ部品に重ならないように構成されていることが好ましい。
【０００８】
更に、該端子に対向する位置において、該コアを保持するカバー片部を有するカバーを更に備え、該カバー片部は、該チップ部品と該第１押さえ片とが対向する方向から見たときに、該チップ部品に重ならないように構成されていることが好ましい。
【０００９】
また、該第１押さえ片及び該第２押さえ片は、該第１押さえ片及び該第２押さえ片に対向する該チップ部品の幅の略中央に配置されることが好ましい。
【００１０】
そして、該コアは、第１コアと、第２コアとに分割して構成され、該第１コア及び該第２コアには、それぞれ貫通部が形成されていることが好ましい。
【００１１】
また、該スペースは、該一方向と、該一方向と反対の方向とに開口していることが好ましい。
【発明の効果】
【００１２】
請求項１に記載の電子部品よれば、第１接合部はチップ部品に対向する第１押さえ片を有しているので、ハンダ付けのための恒温槽内におけるリフロー時において、電子部品の搬送中にコンベアの振動によりチップ部品のずれや脱落を防止することができる。また、第１押さえ片の幅は、チップ部品の幅よりも狭く構成されるので、電子部品の製造工程における外観検査において、一方の外部電極と第１接合部との間のハンダフィレットの状態を容易に判別することができる。
【００１３】
請求項２に記載の電子部品によれば、第２接合部はチップ部品に対向する第２押さえ片を有しているので、ハンダ付けのための恒温槽内におけるリフロー時において、電子部品の搬送中にコンベアの振動によりチップ部品のずれや脱落を防止することができる。また、第２押さえ片の幅はチップ部品の幅よりも狭く構成されるので、電子部品の製造工程における外観検査において、他方の外部電極と第２接合部との間のハンダフィレットの状態を容易に判別することができる。更に、端子片部は、チップ部品と第２押さえ片とが対向する方向から見たときに、チップ部品に重ならないように構成されているので、電子部品の製造工程における外観検査において、他方の外部電極と第２接合部との間のハンダフィレットの状態を容易に判別することができる。
【００１４】
請求項３に記載の電子部品によれば、カバー片部は、チップ部品と第１押さえ片とが対向する方向から見たときに、チップ部品に重ならないように構成されているので、電子部品の製造工程における外観検査において、一方の外部電極と第１接合部との間のハンダフィレットの状態を容易に判別することができる。
【００１５】
請求項４に記載の電子部品によれば、第１押さえ片及び第２押さえ片は、第１押さえ片及び第２押さえ片に対向するチップ部品の幅の略中央に配置されるので、チップ部品の幅の両端付近に均等にハンダ付けされいるかを容易に判別でき、外観検査の検査精度を向上させることができる。
【００１６】
請求項５及び６に記載の電子部品によれば、コアは、第１コアと、第２コアとに分割して構成され、スペースは、一方向及び一方向と反対の方向に開口しているので、一方の外部電極と第１接合部との間及び他方の外部電極と第２接合部との間のハンダフィレットの状態を画像判別によって判別することができる。
【発明を実施するための最良の形態】
【００１７】
本発明による電子部品をノイズフィルタに適用した実施の形態について図１乃至図３に基づき説明する。図１、２に示すように、ノイズフィルタ１は、コンデンサ２と、金属フレーム端子３と、第１コア４と、第２コア５と、端子６とから構成される電子部品本体と、金属製の金属カバー１０とから構成される。第１コア４及び第２コア５は、フェライト、複合フェライト又は磁性紛入り樹脂等により構成される。
【００１８】
コンデンサ２は、略直方体の形状をなしその長手方向両端部に外部電極２Ａ、２Ｂを有している。金属フレーム端子３は、コンデンサ保有部３Ａを有し、コンデンサ保有部３Ａは、略矩形状の第１接合部３Ａ１と、第１接合部３Ａ１の互いに対向する２辺から略垂直に延びる一対の腕部３Ａ２と、第１接合部３Ａ１の別の互いに対向する２辺から略垂直に延び、当該２辺の対向する方向へのコンデンサ２の移動を規制する一対の第１押さえ片３Ａ３とから構成される。
【００１９】
そして、図３に示すように一対の腕部３Ａ２の対向する方向に沿う一対の第１押さえ片３Ａ３の幅Ｗ１は、幅Ｗ１に略平行なコンデンサ２の幅Ｗ２よりも狭く構成される。更に、一対の第１押さえ片３Ａ３は、それぞれコンデンサ２の幅Ｗ２の略中央の位置に配置される。また、一対の腕部３Ａ２の端部には、腕部３Ａ２に直交し、かつ一対の腕部３Ａ２が対向する方向に延び、後述する第１コア４の第１貫通穴４ａ（請求項の貫通部に相当）及び第２コア５の第２貫通穴５ａ（請求項の貫通部に相当）に貫通する脚部３Ｂがそれぞれ延設されている。各脚部３Ｂの一端からは、外縁部３Ｃがそれぞれ第１コア４及び第２コア５に沿うように延設されている。そして、外部電極２Ａと第１接合部３Ａ１とは、図３に示すようにクリームハンダ７によりハンダ付けされる。
【００２０】
本発明のノイズフィルタ１におけるコアは、二つの第１コア４及び第２コア５から構成され、両者の間にはスペースＳ１が提供されている。そして、スペースＳ１にコンデンサ２及びコンデンサ保有部３Ａは配置されている。
【００２１】
第１コア４は、第１−１面４Ａと、第２−１面４Ｂと、図示せぬ第３−１面と、第４面４Ｃと、図示せぬ第５面と、図示せぬ第６−１面とより構成される。第１−１面４Ａは、第ａ１辺と第ａ１辺に略平行に延びる第ａ２辺とを有し、第２−１面４Ｂは、第ａ１辺と交差し第ａ１辺において第１角部θ１を構成する第１傾斜面４Ｂ１と、第１中央面４Ｂ２と、第１傾斜面４Ｂ１と逆方向に傾斜する第２傾斜面４Ｂ３とにより構成される。また、第１角部θ１は９０°未満に構成される。図示せぬ第３−１面は、第２−１面４Ｂと同様の構造をしており、第ａ２辺と交差し第ａ２辺において第２角部θ２を構成する図示せぬ第３傾斜面と、図示せぬ第２中央面と、図示せぬ第４傾斜面とにより構成される。また、第２角部θ２は９０°未満に構成される。
【００２２】
第４面４Ｃは、第１−１面４Ａと第２−１面４Ｂと図示せぬ第３−１面とに交差しており、図示せぬ第５面は、第１−１面４Ａと第２−１面４Ｂと図示せぬ第３−１面とに交差し、第４面４Ｃに対向し、かつ略平行である。そして、第４面４Ｃ及び図示せぬ第５面の略中央には、第４面４Ｃから図示せぬ第５面へ貫通する第１貫通穴４ａが形成されており、金属フレーム端子３の脚部３Ｂが貫通している。図示せぬ第６−１面は、第ａ３辺と第ａ３辺に略平行に延びる図示せぬ第ａ４辺とを有し、第ａ３辺において、図示せぬ第６−１面と第２−１面４Ｂとは、角度が９０°未満である第３角部θ３を構成し、図示せぬ第ａ４辺において、図示せぬ第６−１面と図示せぬ第３−１面とは、角度が９０°未満である第４角部θ４を構成している。
【００２３】
第２コア５は、第１−２面５Ａと、第２−２面５Ｂと、図示せぬ第３−２面と、第７面５Ｃと、図示せぬ第８面と、図示せぬ第６−２面とより構成される。第１−２面５Ａは、第ｂ１辺と第ｂ１辺に略平行に延びる第ｂ２辺とを有し、第１−１面４Ａと略同一平面上に規定されている。また、第ｂ１辺は、第ａ１辺と略同一直線上に、第ｂ２辺は、第ａ２辺と同一直線上に規定されている。
【００２４】
第２−２面５Ｂは、第ｂ１辺と交差し第ｂ１辺において第５角部θ５を構成する第５傾斜面５Ｂ１と、第２中央面５Ｂ２と、第５傾斜面５Ｂ１と逆方向に傾斜する第６傾斜面５Ｂ３とより構成される。また、第２−２面５Ｂは、第２−１面４Ｂと略同一平面上に規定されており、第５角部θ５は９０°未満に構成される。図示せぬ第３−２面は、第２−２面５Ｂと同様の構造をしており、第ｂ２辺と交差し第ｂ２辺において第６角部θ６を構成する図示せぬ第７傾斜面と、図示せぬ第４中央面と、図示せぬ第８傾斜面とにより構成される。また、図示せぬ第３−２面は、図示せぬ第３−１面と略同一平面上に規定されており、第６角部θ６は９０°未満に構成される。
【００２５】
第７面５Ｃは、第１−２面５Ａと第２−２面５Ｂと図示せぬ第３−２面とに交差しており、図示せぬ第８面は、第１−２面５Ａと第２−２面５Ｂと図示せぬ第３−２面とに交差し、第７面５Ｃに対向している。そして、第７面５Ｃ及び図示せぬ第８面の略中央には、第７面５Ｃから図示せぬ第８面へ貫通する第２貫通穴５ａが形成されており、金属フレーム端子３の脚部３Ｂが貫通している。
【００２６】
図示せぬ第６−２面は、第ｂ３辺と第ｂ３辺に略平行に延びる図示せぬ第ｂ４辺とを有し、図示せぬ第６−１面と略同一平面上に規定されている。また、第ｂ３辺は、第ａ３辺と略同一直線上に、図示せぬ第ｂ４辺は、図示せぬ第ａ４辺と略同一直線上に規定されている。第ｂ３辺において、図示せぬ第６−２面と第２−２面５Ｂとは、角度が９０°未満である第７角部θ７を構成し、図示せぬ第ｂ４辺において、図示せぬ第６−２面と図示せぬ第３−２面とは、角度が９０°で未満である第８角部θ８を構成している。
【００２７】
端子６は、第ａ３辺及び第ｂ３辺に略平行な第ｃ１辺と第ｃ１辺に略平行に延びる第ｃ２辺とを有し、図示せぬ第６−１面、第６−２面及び外部電極２Ｂに対向する第２接合部６Ａを有している。端子６は、更に一方の第ｃ１辺から第２傾斜面４Ｂ３に対向するように延びる第１−１端子片部６Ｂ１と、他方の第ｃ１辺から第６傾斜面５Ｂ３に対向するように延びる第１−２端子片部６Ｃ１と、一方の第ｃ２辺から図示せぬ第４傾斜面に対向するように延びる第２−１端子片部６Ｄ１と、他方の第ｃ２辺から図示せぬ第８傾斜面に対向するように延びる第２−２端子片部６Ｅ１とを有している。
【００２８】
そして、第１−１端子片部６Ｂ１及び第１−２端子片部６Ｃ１は、図３に示すようにコンデンサ２を一対の外部電極２Ａ、２Ｂの対向する方向と第１コア４及び第２コア５が対向する方向とに直行する方向（図１のIII方向）から見たときに、コンデンサ２に重ならないように構成されている。第２−１端子片部６Ｄ１及び第２−２端子片部６Ｅ１も、第１−１端子片部６Ｂ１及び第１−２端子片部６Ｃ１と同様に構成されている。
【００２９】
また、第１−１端子片部６Ｂ１から図示せぬ第５面に対向するように第１ａずれ防止片６Ｂ２が延設され、第１−２端子片部６Ｃ１から第７面５Ｃに対向するように第１ｂずれ防止片６Ｃ２が延設され、第２−１端子片部６Ｄ１から図示せぬ第５面に対向するように第２ａずれ防止片６Ｄ２が延設され、第２−２端子片部６Ｅ１から第７面５Ｃに対向するように第２ｂずれ防止片６Ｅ２が延設されている。
【００３０】
また、第２接合部６Ａの第１−１端子片部６Ｂ１と第１−２端子片部６Ｃ１との略中央、及び第２−１端子片部６Ｄ１と第２−２端子片部６Ｅ１との略中央には、第１−１端子片部６Ｂ１及び第２−１端子片部６Ｄ１が対向する方向へのコンデンサ２の移動を規制する一対の第２押さえ片６Ｆが、それぞれコンデンサ２に対向するように設けられている。そして、図３に示すように第１コア４及び第２コア５が対向する方向に沿う一対の第２押さえ片６Ｆの幅Ｗ３は、コンデンサ２の幅Ｗ２よりも狭く構成される。更に、一対の第２押さえ片６Ｆは、第１コア４及び第２コア５が対向する方向に沿うコンデンサ２の幅Ｗ２の略中央の位置に配置される。
【００３１】
また、端子６は、第１−１端子片部６Ｂ１と第２−１端子片部６Ｄ１との第２傾斜面４Ｂ３及び図示せぬ第４傾斜面へのかしめと、第１−２端子片部６Ｃ１と第２−２端子片部６Ｅ１との第６傾斜面５Ｂ３及び図示せぬ第８傾斜面へのかしめにより、第１コア４及び第２コア５に固定される。また、外部電極２Ｂと第２接合部６Ａとは、クリームハンダ７によりハンダ付けされる。
【００３２】
金属カバー１０は、第ａ１辺に略平行に延びる第ｄ１辺と第ｄ１辺に略平行に延びる第ｄ２辺とを有し、第１接合部３Ａ１と第１−１面４Ａと第１−２面５Ａとに対向する平面状の板状部材１０Ａを有している。第ｄ１辺と第ｄ２辺と間の距離は、第１−１面４Ａの第ａ１辺と第ａ２辺との間の距離、第１−２面５Ａの第ｂ１辺と第ｂ２辺との間の距離よりも僅かに長く構成される。
【００３３】
金属カバー１０は、更に第ｄ１辺の第１コア４側から第１傾斜面４Ｂ１に対向するように延びる第１−１カバー片部１０Ｂ１と、第ｄ１辺の第２コア５側から第５傾斜面５Ｂ１に対向するように延びる第１−２カバー片部１０Ｃ１と、第ｄ２辺の第１コア４側から図示せぬ第３傾斜面に対向するように延びる第２−１カバー片部１０Ｄ１と、第ｄ２辺の第２コア５側から図示せぬ第７傾斜面に対向するように延びる図示せぬ第２−２カバー片部とを有している。そして、第１−１カバー片部１０Ｂ１及び第１−２カバー片部１０Ｃ１は、図３に示すようにコンデンサ２を一対の外部電極２Ａ、２Ｂの対向する方向と第１コア４及び第２コア５が対向する方向とに直行する方向（図１のIII方向）から見たときに、コンデンサ２に重ならないように構成されている。第２−１カバー片部１０Ｄ１及び図示せぬ第２−２カバー片部も、第１−１カバー片部１０Ｂ１及び第１−２カバー片部１０Ｃ１と同様に構成されている。
【００３４】
また、第１−１カバー片部１０Ｂ１から図示せぬ第５面に対向するように第３ａずれ防止片１０Ｂ２が延設され、第１−２カバー片部１０Ｃ１から第７面５Ｃに対向するように第３ｂずれ防止片１０Ｃ２が延設され、第２−１カバー片部１０Ｄ１から図示せぬ第５面に対向するように図示せぬ第３ｃずれ防止片が延設され、図示せぬ第２−２カバー片部から第７面５Ｃに対向するように図示せぬ第３ｄずれ防止片１０Ｅ２（図１）が延設されている。
【００３５】
金属カバー１０は、第１−１カバー片部１０Ｂ１と図示せぬ第２−１カバー片部の第１傾斜面４Ｂ１及び図示せぬ第３傾斜面へのかしめと、第１−２カバー片部１０Ｃ１と第２−２カバー片部１０Ｅ１の第５傾斜面５Ｂ１及び図示せぬ第７傾斜面へのかしめにより、第１コア４及び第２コア５に固定される。更に、板状部材１０Ａと第１−１面４Ａ、板状部材１０Ａと第１−２面５Ａ、第１−１カバー片部１０Ｂ１と第１傾斜面４Ｂ１、第１−２カバー片部１０Ｃ１と第５傾斜面５Ｂ１、図示せぬ第２−１カバー片部と図示せぬ第３傾斜面、第２−２カバー片部１０Ｅ１と図示せぬ第７傾斜面との間に介在する熱硬化性樹脂である接着剤により、電子部品本体と金属カバー１０とは一体化される。この時、スペースＳ１は、III方向とその反対方向に開口している。  
【００３６】
また、外部電極２Ａ及び第１接合部３Ａ１、外部電極２Ｂ及び第２接合部６Ａのクリームハンダ７による接合及び、電子部品本体と金属カバー１０との間の接着剤の硬化は、恒温槽内におけるリフロー時に同時に行われる。
【００３７】
上述のように一対の第１押さえ片３Ａ３及び一対の第２押さえ片６Ｆを設けることによって、ハンダ付けのための恒温槽内におけるリフロー時において、ノイズフィルタ１の搬送中にコンベアの振動によりコンデンサ２のずれや脱落を防止することができる。
【００３８】
そして、一対の第１押さえ片の幅Ｗ１及び一対の第２押さえ片６Ｆの幅Ｗ３は、コンデンサ２の幅Ｗ２よりも狭く構成されるので、ノイズフィルタ１の製造工程における外観検査において、外部電極２Ａと第１接合部３Ａ１との間及び外部電極２Ｂと第２接合部６Ａとの間のハンダフィレットの状態を容易に判別することができる。更に、一対の第１押さえ片３Ａ３及び一対の第２押さえ片６Ｆの幅Ｗ３は、それぞれコンデンサ２の幅Ｗ２の略中央の位置に配置されるので、コンデンサ２の幅Ｗ２の両端付近に均等にハンダ付けされいるかを容易に判別できる。従って、外観検査の検査精度を向上させることができる。
【００３９】
また、端子６の各端子片部及び金属カバー１０の各カバー片部は、図１のIII方向から見たときにコンデンサ２に重ならないように構成されているので、ノイズフィルタ１の製造工程における外観検査において、外部電極２Ａと第１接合部３Ａ１との間のハンダフィレットの状態を容易に判別することができる。
【００４０】
更に、スペースＳ１は、III方向とその反対方向に開口しているので、外部電極２Ａと第１接合部３Ａ１との間及び外部電極２Ｂと第２接合部６Ａとの間のハンダフィレットの状態を画像判別によって判別することができる。即ち、ノイズフィルタ１に対して、III方向から光源を用いて照射し、照射した側と反対側にカメラを設置して、ノイズフィルタ１から光が透過した部分と透過しない部分とをカメラに認識させる（２値化する）。これらの部分の量によりハンダフィレットの状態の良・不良を判別することができる。
【００４１】
そして、透過する光量に対して一定の判別閾値を設けることによって、ハンダフィレットの状態の良・不良を機械的に判別することができる。これにより、外観検査を目視によらずに自動化できるので、生産コストを低下させ、生産性を向上させることができる。更に、誤判別を防止することができるので、ハンダフィレットの質を一定以上に安定させることができる。
【００４２】
本発明によるノイズフィルタ１は、上述した実施の形態に限定されず、特許請求の範囲に記載した範囲で種々の変形や改良が可能である。例えば、ノイズフィルタ１のコアは、二つの第１コア４及び第２コア５に分割して構成されていたが、コンデンサを収容する一対の脚部と一対の脚部を接続する基部とからなるコの字状の一つのコアであっても良い。また、ノイズフィルタ１は、コンデンサ２を備えていたが、これに限定されずチップバリスタのような容量性素子であれば良い。更に、電子部品はノイズフィルタに限定されず、コンデンサ、バリスタ、サーミスタであってもよい。
【００４３】
また、はんだによる接合及び接着剤１１の硬化を、恒温槽において行ったが、温度プロファイルが設定できるリフロー炉において行っても良い。金属カバー１０は、金属製であったが樹脂製であっても良い。また、第１コア４及び第２コア５が、磁性紛入り樹脂で構成されている場合、金属フレーム端子３と一体成形されていても良い。
【図面の簡単な説明】
【００４４】
【図１】本発明による電子部品をノイズフィルタに適用した実施の形態の斜視図。
【図２】本発明による実施の形態のノイズフィルタの分解斜視図。
【図３】本発明による実施の形態のノイズフィルタを図１のIII方向から見た図。
【符号の説明】
【００４５】
１    ノイズフィルタ
２    コンデンサ
２Ｂ、２Ａ    外部電極
３    金属フレーム端子
３Ａ１    第１接合部
３Ａ３    第１押さえ片
４    第１コア
５    第２コア
６Ａ    第２接合部
６    端子
６Ｂ１    第１−１端子片部端子片部
６Ｃ１    第１−２端子片部端子片部
６Ｄ１    第２−１端子片部端子片部
６Ｅ１    第２−２端子片部端子片部
６Ｆ    第２押さえ片
１０    金属カバー
１０Ｂ１    第１−１カバー片部
１０Ｃ１    第１−２カバー片部
１０Ｄ１    第２−１カバー片部
１０Ｅ１    第２−２カバー片部
Ｓ１    スペース
【図１】
2005294645.tif 000003
【図２】
2005294645.tif 000004
【図３】
2005294645.tif 000005